(57)【要約】【課題】本発明は、無線通信機器の通信特性とインピーダンスの大きさとを通信特性測定装置とインピーダンス測定装置との接続を切り替えることなく測定することができ、測定を簡略化することができる無線通信機器測定システム及び無線通信機器測定方法を提供する。【解決手段】本発明に係る１例は、被測定物１と通信特性測定装置２とインピーダンス測定装置３と信号分岐装置４とを備える無線通信機器測定システムである。被測定物１は無線通信することが可能な機器である。通信特性測定装置２は被測定物１と無線通信を行い、被測定物１の通信特性を測定する。インピーダンス測定装置３は被測定物１のインピーダンスの大きさを測定する。信号分岐装置は被測定物１、通信特性測定装置２及びインピーダンス測定装置３のそれぞれと通信することが可能に接続してあり、被測定物１からの信号を通信特性測定装置２とインピーダンス測定装置３とに分岐する。【選択図】図１
2010230616.tif 000002
【特許請求の範囲】
【請求項１】
無線通信することが可能な被測定物と、
該被測定物と無線通信を行い、前記被測定物の通信特性を測定する通信特性測定装置と、
前記被測定物のインピーダンスの大きさを測定するインピーダンス測定装置と、
前記被測定物、前記通信特性測定装置及び前記インピーダンス測定装置のそれぞれと通信することが可能に接続してあり、前記被測定物からの信号を前記通信特性測定装置と前記インピーダンス測定装置とに分岐する信号分岐装置と
を備えることを特徴とする無線通信機器測定システム。
【請求項２】
前記被測定物と前記信号分岐装置との間に設けられ、前記被測定物のインピーダンスの大きさを変換するインピーダンス制御装置を備えることを特徴とする請求項１に記載の無線通信機器測定システム。
【請求項３】
前記インピーダンス制御装置は、前記被測定物のインピーダンスの大きさを変換することで、前記通信特性測定装置のインピーダンスの大きさと変換後の前記被測定物のインピーダンスの大きさとを整合させることを特徴とする請求項２に記載の無線通信機器測定システム。
【請求項４】
前記通信特性測定装置が前記被測定物の通信特性を測定する期間に、前記インピーダンス測定装置が前記被測定物のインピーダンスの大きさを測定するように測定タイミングを制御して、前記被測定物の通信特性と、前記期間に測定した被測定物のインピーダンスの大きさとを関連付けたデータを生成するデータ生成部を備えることを特徴とする請求項１乃至請求項３のいずれか一項に記載の無線通信機器測定システム。
【請求項５】
前記データ生成部で生成したデータを記憶する記憶部を備えることを特徴とする請求項４に記載の無線通信機器測定システム。
【請求項６】
前記通信特性測定装置から前記被測定物へ所定の信号を送信するタイミングに、前記インピーダンス測定装置の測定タイミングを同期させることを特徴とする請求項１乃至請求項５のいずれか一項に記載の無線通信機器測定システム。
【請求項７】
被測定物、通信特性測定装置及びインピーダンス測定装置のそれぞれと通信することが可能に接続してあり、前記被測定物からの信号を前記通信特性測定装置と前記インピーダンス測定装置とに分岐する信号分岐装置を備える無線通信機器測定システムによって実行される、前記被測定物の通信特性及びインピーダンスの大きさを測定する無線通信機器測定方法であって、
前記通信特性測定装置が前記被測定物と無線通信を行い、前記被測定物の通信特性を測定する通信特性測定ステップと、
前記インピーダンス測定装置が、前記信号分岐装置で分岐された信号に基づいて前記被測定物のインピーダンスの大きさを測定するインピーダンス測定ステップと
を含むことを特徴とする無線通信機器測定方法。
【請求項８】
前記被測定物と前記信号分岐装置との間に、前記被測定物のインピーダンスの大きさを変換するインピーダンス制御装置を備える前記無線通信機器測定システムによって実行され、
前記インピーダンス制御装置が前記被測定物のインピーダンスの大きさを変換するインピーダンス制御ステップを含むことを特徴とする請求項７に記載の無線通信機器測定方法。
【請求項９】
前記インピーダンス制御ステップにおいて、前記被測定物のインピーダンスの大きさを変換して、前記通信特性測定装置のインピーダンスの大きさと、変換後の前記被測定物のインピーダンスの大きさとを整合させることを特徴とする請求項８に記載の無線通信機器測定方法。
【請求項１０】
前記通信特性測定装置が前記被測定物の通信特性を測定する期間に、前記インピーダンス測定装置が前記被測定物のインピーダンスの大きさを測定するように測定タイミングを制御して、前記被測定物の通信特性と、前記期間に測定した前記被測定物のインピーダンスの大きさとを関連付けたデータを生成するデータ生成ステップを含むことを特徴とする請求項７乃至９のいずれか一項に記載の無線通信機器測定方法。
【請求項１１】
前記インピーダンス測定ステップにおいて、前記通信特性測定装置から前記被測定物へ所定の信号を送信するタイミングに、前記インピーダンス測定装置の測定タイミングを同期させることを特徴とする請求項７乃至１０のいずれか一項に記載の無線通信機器測定方法。
【発明の詳細な説明】
【技術分野】
【０００１】
本発明は、無線通信機器の測定システム及び無線通信機器の測定方法に関し、特に無線通信機器の通信特性及びインピーダンスの大きさを測定する無線通信機器測定システム及び無線通信機器測定方法に関する。
【背景技術】
【０００２】
従来、無線通信機器測定システムは、無線通信機器の各種の通信特性を測定するために、被測定物である無線通信機器と無線通信機器テストシステムとを高周波ケーブルで接続している。特許文献１には、通信状態での無線通信機器の様々な通信特性を測定することができる無線通信機器測定システムが開示されている。
【０００３】
特許文献１に開示されている無線通信機器測定システム（無線機用テストシステム）は、携帯電話機等の無線通信機器の通信特性を測定するために、無線通信機器テストシステム（無線機用テスタ）と被測定物（被検査端末）とが高周波ケーブルで一対一に通信することが可能に接続されている。無線通信機器テストシステムは、特許文献１の図１に開示されているように、試験信号発生部、該試験信号発生部で発生した信号を無線通信機器に高周波として送信するＲＦ（Ｒａｄｉｏ  Ｆｒｅｑｕｅｎｃｙ）送信部、無線通信機器からの信号を受信するＲＦ受信部、該ＲＦ受信部で受信した信号を測定解析する測定部等を備えている。
【先行技術文献】
【特許文献】
【０００４】
【特許文献１】特開２００７−２０８３４９号公報
【発明の概要】
【発明が解決しようとする課題】
【０００５】
しかし、特許文献１に開示されている無線機用テストシステムは、無線通信機器のインピーダンスの大きさを測定するネットワークアナライザが無線通信機器に接続されていないため、無線通信機器のインピーダンスの大きさを測定することができない。特許文献１に開示されている無線機用テストシステムで無線通信機器のインピーダンスの大きさを測定するためには、無線通信機器は、無線通信機器テストシステムとの接続を切り離し、ネットワークアナライザと接続し直す必要があるため、測定者にとって処理が煩雑になるという問題点があった。
【０００６】
本発明は、上記事情に鑑みてなされたものであり、無線通信機器の通信特性及びインピーダンスの大きさをそれぞれの測定装置との接続を切り替えることなく測定することができ、測定を簡略化することができる無線通信機器測定システム及び無線通信機器測定方法を提供することを目的とする。
【課題を解決するための手段】
【０００７】
上記目的を達成するために第１発明に係る無線通信機器測定システムは、無線通信することが可能な被測定物と、該被測定物と無線通信を行い、前記被測定物の通信特性を測定する通信特性測定装置と、前記被測定物のインピーダンスの大きさを測定するインピーダンス測定装置と、前記被測定物、前記通信特性測定装置及び前記インピーダンス測定装置のそれぞれと通信することが可能に接続してあり、前記被測定物からの信号を前記通信特性測定装置と前記インピーダンス測定装置とに分岐する信号分岐装置とを備えることを特徴とする。
【０００８】
また、第２発明に係る無線通信機器測定システムは、第１発明において、前記被測定物と前記信号分岐装置との間に設けられ、前記被測定物のインピーダンスの大きさを変換するインピーダンス制御装置を備えることを特徴とする。
【０００９】
また、第３発明に係る無線通信機器測定システムは、第２発明において、前記インピーダンス制御装置は、前記被測定物のインピーダンスの大きさを変換することで、前記通信特性測定装置のインピーダンスの大きさと変換後の前記被測定物のインピーダンスの大きさとを整合させることを特徴とする。
【００１０】
また、第４発明に係る無線通信機器測定システムは、第１乃至第３発明のいずれか１つにおいて、前記通信特性測定装置が前記被測定物の通信特性を測定する期間に、前記インピーダンス測定装置が前記被測定物のインピーダンスの大きさを測定するように測定タイミングを制御して、前記被測定物の通信特性と、前記期間に測定した被測定物のインピーダンスの大きさとを関連付けたデータを生成するデータ生成部を備えることを特徴とする。
【００１１】
また、第５発明に係る無線通信機器測定システムは、第４発明において、前記データ生成部で生成したデータを記憶する記憶部を備えることを特徴とする。
【００１２】
また、第６発明に係る無線通信機器測定システムは、第１乃至第５発明のいずれか１つにおいて、前記通信特性測定装置から前記被測定物へ所定の信号を送信するタイミングに、前記インピーダンス測定装置の測定タイミングを同期させることを特徴とする。
【００１３】
次に、上記目的を達成するために第７発明に係る無線通信機器測定方法は、被測定物、通信特性測定装置及びインピーダンス測定装置のそれぞれと通信することが可能に接続してあり、前記被測定物からの信号を前記通信特性測定装置と前記インピーダンス測定装置とに分岐する信号分岐装置を備える無線通信機器測定システムによって実行される、前記被測定物の通信特性及びインピーダンスの大きさを測定する無線通信機器測定方法であって、前記通信特性測定装置が前記被測定物と無線通信を行い、前記被測定物の通信特性を測定する通信特性測定ステップと、前記インピーダンス測定装置が、前記信号分岐装置で分岐された信号に基づいて前記被測定物のインピーダンスの大きさを測定するインピーダンス測定ステップとを含むことを特徴とする。
【００１４】
また、第８発明に係る無線通信機器測定方法は、第７発明において、前記被測定物と前記信号分岐装置との間に、前記被測定物のインピーダンスの大きさを変換するインピーダンス制御装置を備える前記無線通信機器測定システムによって実行され、前記インピーダンス制御装置が前記被測定物のインピーダンスの大きさを変換するインピーダンス制御ステップを含むことを特徴とする。
【００１５】
また、第９発明に係る無線通信機器測定方法は、第８発明において、前記インピーダンス制御ステップにおいて、前記被測定物のインピーダンスの大きさを変換して、前記通信特性測定装置のインピーダンスの大きさと、変換後の前記被測定物のインピーダンスの大きさとを整合させることを特徴とする。
【００１６】
また、第１０発明に係る無線通信機器測定方法は、第７乃至第９発明のいずれか１つにおいて、前記通信特性測定装置が前記被測定物の通信特性を測定する期間に、前記インピーダンス測定装置が前記被測定物のインピーダンスの大きさを測定するように測定タイミングを制御して、前記被測定物の通信特性と、前記期間に測定した前記被測定物のインピーダンスの大きさとを関連付けたデータを生成するデータ生成ステップを含むことを特徴とする。
【００１７】
また、第１１発明に係る無線通信機器測定方法は、第７乃至第１０発明のいずれか１つにおいて、前記インピーダンス測定ステップにおいて、前記通信特性測定装置から前記被測定物へ所定の信号を送信するタイミングに、前記インピーダンス測定装置の測定タイミングを同期させること特徴とする。
【００１８】
第１発明及び第７発明では、信号分岐装置で被測定物からの信号を通信特性測定装置とインピーダンス測定装置とに分岐するので、通信特性測定装置とインピーダンス測定装置との接続を切り替えることなく、被測定物の通信特性及びインピーダンスの大きさを測定することができる。なお、被測定物の通信特性とは、被測定物の通信能力を特徴付けるための指標であり、例えば通信信号の変調特性、受信感度、送信電力、消費電力等を含む指標である。
【００１９】
第２発明及び第８発明では、被測定物と信号分岐装置との間に設けられたインピーダンス制御装置にて被測定物のインピーダンスの大きさを変換することで、被測定物の所望の通信特性を得ることができる被測定物のインピーダンスの大きさ、又は所望のインピーダンスの大きさを決定することができる。
【００２０】
第３発明及び第９発明では、インピーダンス制御装置により、通信特性測定装置のインピーダンスの大きさと変換後の被測定物のインピーダンスの大きさとを整合させた状態での被測定物の通信特性を測定することが可能となり、両者のインピーダンスの大きさを整合させた状態における被測定物の回路定数に変更することができる。
【００２１】
第４発明及び第１０発明では、測定した被測定物の通信特性と該通信特性を測定する期間に測定した被測定物のインピーダンスの大きさとを関連付けたデータを生成することで、被測定物の通信特性を改善するために有用なデータを得ることができる。
【００２２】
第５発明では、データ生成部で生成したデータを記憶部に記憶するので、測定後も当該データを利用することができる。
【００２３】
第６発明及び第１１発明では、通信特性測定装置から被測定物へ所定の信号を送信するタイミングに、インピーダンス測定装置の測定タイミングを同期させるので、被測定物の通信特性を測定する期間に被測定物のインピーダンスの大きさを測定することが可能となる。
【発明の効果】
【００２４】
本発明に係る無線通信機器測定システム及び無線通信機器測定方法では、上記の構成により、無線通信機器の通信特性とインピーダンスの大きさとを通信特性測定装置とインピーダンス測定装置との接続を切り替えることなく測定することができ、測定を簡略化することができるという効果を奏する。
【図面の簡単な説明】
【００２５】
【図１】本発明の実施の形態１に係る無線通信機器測定システムの構成を示すブロック図である。
【図２】本発明の実施の形態１に係る無線通信機器測定システムを用いて無線通信機器（被測定物）の測定を行う場合の測定処理の手順を示すフローチャートである。
【図３】従来の無線通信機器測定システムの構成を示すブロック図である。
【図４】従来の無線通信機器測定システムを用いて無線通信機器（被測定物）の測定を行う場合の測定処理の手順を示すフローチャートである。
【図５】本発明の実施の形態１に係る方向性結合器の信号の流れを示す模式図である。
【図６】本発明の実施の形態２に係る無線通信機器測定システムの構成を示すブロック図である。
【図７】本発明の実施の形態２に係る無線通信機器測定システムを用いて無線通信機器（被測定物）の測定を行う場合の測定処理の手順を示すフローチャートである。
【図８】本発明の実施の形態３に係る無線通信機器測定システムの構成を示すブロック図である。
【図９】本発明の実施の形態３に係る無線通信機器測定システムを用いて無線通信機器（被測定物）の測定を行う場合の測定処理の手順を示すフローチャートである。
【図１０】インピーダンス整合を判断するスミスチャートの例示図である。
【図１１】本発明の実施の形態４に係る無線通信機器測定システムの構成を示すブロック図である。
【図１２】ネットワークアナライザの測定タイミングを無線通信機器テストシステムの測定タイミングに同期する様子を示すタイミングチャートである。
【発明を実施するための形態】
【００２６】
（実施の形態１）
図１は、本発明の実施の形態１に係る無線通信機器測定システムの構成を示すブロック図である。また、図２は、本発明の実施の形態１に係る無線通信機器測定システムを用いて無線通信機器（被測定物）の測定を行う場合の測定処理の手順を示すフローチャートである。
【００２７】
図１及び図２の説明をする前に、従来の無線通信機器測定システム及び無線通信機器測定方法について説明する。図３は、従来の無線通信機器測定システムの構成を示すブロック図である。また、図４は、従来の無線通信機器測定システムを用いて無線通信機器（被測定物）の測定を行う場合の測定処理の手順を示すフローチャートである。図３に示すように、従来の無線通信機器測定システムは、携帯電話機等の被測定物１０１の通信特性を測定するために、無線通信機器テストシステム１０２と被測定物１０１とが高周波ケーブル１０４で一対一に通信することが可能に接続してある。
【００２８】
無線通信機器テストシステム１０２は、被測定物１０１の通信特性を測定する装置である。無線通信機器テストシステム１０２は、試験信号発生部１１２、ＲＦ送信部１２２、サーキュレータ１３２、ＲＦ受信部１４２及び測定部１５２を備えている。
【００２９】
試験信号発生部１１２は、被測定物１０１に対して擬似基地局として機能するために必要な制御情報を含んだ信号を発生する。ＲＦ送信部１２２は、試験信号発生部１１２で発生した信号を被測定物１０１で受信可能な高周波信号に変換して被測定物１０１にサーキュレータ１３２を介して出力する。サーキュレータ１３２は、ＲＦ送信部１２２からの高周波信号を被測定物１０１に出力すると同時に、被測定物１０１から送信された高周波信号をＲＦ受信部１４２に入力する。ＲＦ受信部１４２は、被測定物１０１から送信された高周波信号を、測定部１５２で処理可能な信号に変換する。測定部１５２は、ＲＦ受信部１４２で変換された信号から、被測定物１０１の送信電力、スペクトル等の通信特性を測定する。なお、無線通信機器テストシステム１０２は、隣接チャネル選択度、ブロッキング特性等についても測定することができるように、ＲＦ送信部１２２から出力する高周波信号に妨害波を重畳させる手段を備えても良い。なお、被測定物１０１の通信特性とは、被測定物１０１の通信能力を特徴付けるための指標であり、例えば通信信号の変調特性、受信感度、送信電力、消費電力等を含む指標である。
【００３０】
しかし、無線通信機器テストシステム１０２は、被測定物１０１のインピーダンスの大きさを測定することができない。そこで、被測定物１０１のインピーダンスの大きさは、別途ネットワークアナライザ１０３を用いて測定する必要がある。ネットワークアナライザ１０３を用いて被測定物１０１のインピーダンスの大きさを測定するためには、無線通信機器テストシステム１０２に代えて、ネットワークアナライザ１０３を被測定物１０１と高周波ケーブル１０４で一対一に通信することが可能となるように接続する必要がある。そのため、従来の無線通信機器測定システムでは、被測定物１０１に接続した無線通信機器テストシステム１０２を外し、ネットワークアナライザ１０３と被測定物１０１とを接続するよう切り替える必要がある。
【００３１】
図４に示すように、無線通信機器テストシステム１０２は、被測定物１０１の通信特性を測定する（ステップＳ４０１）。被測定物１０１は、無線通信機器テストシステム１０２との接続を、ネットワークアナライザ１０３との接続に切り替える（ステップＳ４０２）。被測定物１０１とネットワークアナライザ１０３とを接続した後、ネットワークアナライザ１０３は、被測定物１０１のインピーダンスの大きさを測定する（ステップＳ４０３）。ここで、被測定物１０１のインピーダンスの大きさとは、被測定物１０１自体のインピーダンスの大きさのみではなく、被測定物１０１から無線通信機器テストシステム１０２までの伝送線路のインピーダンスの大きさを含むものとする。
【００３２】
このように、従来の無線通信機器測定システムは、高周波ケーブル１０４の接続を切り替えることなく、被測定物１０１の通信特性とインピーダンスの大きさとをともに測定することができなかった。また、図４からも分かるように、従来の無線通信機器測定システムでは、接続を切り替える処理（ステップＳ４０２）が必須となり、測定作業が煩雑化していた。さらに、ネットワークアナライザ１０３により被測定物１０１のインピーダンスの大きさを測定する際には、被測定物１０１に高周波信号が入力されていないこととなる。したがって、ネットワークアナライザ１０３と被測定物１０１とを接続しても、通信状態における被測定物１０１のインピーダンスの大きさを測定することができず、通信状態における被測定物１０１のインピーダンスの大きさを無線通信機器テストシステム１０２のインピーダンスの大きさとを正確に整合させることはできなかった。
【００３３】
そこで、本実施の形態１に係る無線通信機器測定システムは、図１に示すように、方向性結合器４を介して、被測定物１と無線通信機器テストシステム２及びネットワークアナライザ３とを接続している。方向性結合器４と、被測定物１、無線通信機器テストシステム２、ネットワークアナライザ３のそれぞれとの接続には、高周波ケーブル５を用いている。
【００３４】
ここで、被測定物１は、携帯電話機、無線ＬＡＮ、ブルートゥース（Ｂｌｕｅｔｏｏｔｈ（登録商標））等の近距離無線通信を利用したマウス、ヘッドフォン等の無線通信機器である。また、無線通信機器テストシステム２は、被測定物１の通信特性を測定する装置であり、図３に示す従来の無線通信機器テストシステム１０２と同じく、試験信号発生部２１、ＲＦ送信部２２、サーキュレータ２３、ＲＦ受信部２４及び測定部２５を備えている。試験信号発生部２１、ＲＦ送信部２２、サーキュレータ２３、ＲＦ受信部２４及び測定部２５は、従来の試験信号発生部１１２、ＲＦ送信部１２２、サーキュレータ１３２、ＲＦ受信部１４２、測定部１５２のそれぞれに対応しており、その機能も同じであるため詳細な説明は省略する。なお、被測定物１の通信特性とは、被測定物１の通信能力を特徴付けるための指標であり、例えば通信信号の変調特性、受信感度、送信電力、消費電力等を含む指標である。
【００３５】
ネットワークアナライザ３は、被測定物１のインピーダンスの大きさを測定する装置である。なお、被測定物１のインピーダンスの大きさを測定できるインピーダンス測定装置であれば、ネットワークアナライザ３に限定されるものではない。また、被測定物１のインピーダンスの大きさも、被測定物１自体のインピーダンスの大きさのみではなく、被測定物１から無線通信機器テストシステム２までの伝送線路のインピーダンスの大きさを含むものとする。
【００３６】
図２に示すように、無線通信機器テストシステム２は、方向性結合器４を介して被測定物１の通信特性を測定する（ステップＳ２０１）。ネットワークアナライザ３は、方向性結合器４を介して被測定物１のインピーダンスの大きさを測定する（ステップＳ２０２）。また、ネットワークアナライザ３において被測定物１のインピーダンスの大きさを測定する処理（ステップＳ２０２）は、無線通信機器テストシステム２において被測定物１の通信特性を測定する処理（ステップＳ２０１）を行うタイミングと、例えば同時、前、後のいずれのタイミングで行っても良い。但し、ネットワークアナライザ３において被測定物１のインピーダンスの大きさを測定する処理（ステップＳ２０２）を、無線通信機器テストシステム２において被測定物１の通信特性を測定する処理（ステップＳ２０１）の間に行った場合、被測定物１の通信特性及びインピーダンスの大きさを測定する処理時間を短縮できるとともに、被測定物１が通信している状態でのインピーダンスの大きさを測定することができる。
【００３７】
図５は、本発明の実施の形態１に係る方向性結合器４の信号の流れを示す模式図である。図５に示すように、方向性結合器４は、被測定物１からの信号を無線通信機器テストシステム２とネットワークアナライザ３とに分岐する装置である。そのため、方向性結合器４は、被測定物１と無線通信機器テストシステム２との間で送受信される信号がネットワークアナライザ３に影響を与えず、被測定物１からネットワークアナライザ３へ送信される信号が無線通信機器テストシステム２に影響を与えないように無線通信機器テストシステム２及びネットワークアナライザ３のそれぞれを被測定物１に接続している。
【００３８】
以上のように、本実施の形態１に係る無線通信機器測定システムは、方向性結合器４を介して、被測定物１と無線通信機器テストシステム２及びネットワークアナライザ３とを接続しているので、それぞれの測定装置の接続を切り替えることなく、被測定物１の通信特性及びインピーダンスの大きさを測定することができ、測定作業を簡略化することができる。
【００３９】
（実施の形態２）
図６は、本発明の実施の形態２に係る無線通信機器測定システムの構成を示すブロック図である。また、図７は、本発明の実施の形態２に係る無線通信機器測定システムを用いて無線通信機器（被測定物）の測定を行う場合の測定処理の手順を示すフローチャートである。
【００４０】
図６に示すように、本実施の形態２に係る無線通信機器測定システムは、被測定物１、無線通信機器テストシステム２、ネットワークアナライザ３、方向性結合器４、高周波ケーブル５、ＰＣ６及び記憶装置７を備えている。本実施の形態２に係る無線通信機器測定システムは、実施の形態１に係る無線通信機器測定システムと比べてＰＣ６及び記憶装置７を備えている点で異なる。他の構成については、実施の形態１に係る無線通信機器測定システムの構成要素と同じであるため、同じ構成要素には同じ符号を付して詳細な説明は省略する。
【００４１】
ＰＣ６は、パーソナルコンピュータ等で構成され、被測定物１の通信特性の測定中に、被測定物１のインピーダンスの大きさを測定できるよう、無線通信機器テストシステム２及びネットワークアナライザ３の測定タイミングを制御する。なお、ＰＣ６は、無線通信機器テストシステム２及びネットワークアナライザ３とデータ通信することが可能に接続してある。また、ＰＣ６は、被測定物１の通信特性と、当該通信特性を測定している間の被測定物１のインピーダンスの大きさとを関連付けたデータを生成するデータ生成部としても機能する。
【００４２】
記憶装置７は、ＰＣ６が生成したデータを記憶する。記憶装置７は、ＰＣ６に接続された記憶媒体で、例えば、ＰＣ６に内蔵されたＨＤＤや半導体メモリ等の記憶媒体であっても、ＰＣ６に外付けされたＨＤＤや半導体メモリ等の記憶媒体であっても良い。
【００４３】
図７に示すように、無線通信機器テストシステム２は、方向性結合器４を介して被測定物１の通信特性を測定する（ステップＳ２０１）。ネットワークアナライザ３は、方向性結合器４を介して被測定物１のインピーダンスの大きさを測定する（ステップＳ２０２）。ＰＣ６は、被測定物１の通信特性を測定する処理（ステップＳ２０１）の間に、被測定物１のインピーダンスの大きさを測定する処理（ステップＳ２０２）が行われるよう、無線通信機器テストシステム２及びネットワークアナライザ３の少なくとも一方の測定タイミングを制御し、無線通信機器テストシステム２で測定した被測定物１の通信特性と、当該通信特性の測定中にネットワークアナライザ３が測定した被測定物１のインピーダンスの大きさとを関連付けてデータを生成し、該データを記憶装置７に記憶する（ステップＳ７０１）。
【００４４】
以上のように、本実施の形態２に係る無線通信機器測定システムは、被測定物１の通信特性と、当該通信特性を測定中に測定した被測定物１のインピーダンスの大きさとを関連付けたデータをＰＣ６が生成し、記憶装置７に記憶しているので、測定後に記憶してあるデータを呼び出して利用することができ、被測定物１の回路定数の変更を含めた設計を容易に行うことが可能となる。
【００４５】
（実施の形態３）
図８は、本発明の実施の形態３に係る無線通信機器測定システムの構成を示すブロック図である。また、図９は、本発明の実施の形態３に係る無線通信機器測定システムを用いて無線通信機器（被測定物）の測定を行う場合の測定処理の手順を示すフローチャートである。
【００４６】
無線通信機器測定システムでは、被測定物１のインピーダンスの大きさと、無線通信機器テストシステム２のインピーダンスの大きさとが整合している場合と、整合していない場合とで、測定される被測定物１の通信特性に大きな違いが生じる。しかし、被測定物１のインピーダンスの大きさと、無線通信機器テストシステム２のインピーダンスの大きさとを整合させるために、被測定物１の通信特性を測定する都度、被測定物１の回路定数を変更するのでは測定作業が煩雑である。
【００４７】
そこで、図８に示すように、本実施の形態３に係る無線通信機器測定システムは、被測定物１、無線通信機器テストシステム２、ネットワークアナライザ３、方向性結合器４、高周波ケーブル５、ＰＣ６、記憶装置７及びインピーダンス制御装置８を備えている。本実施の形態３に係る無線通信機器測定システムは、実施の形態２に係る無線通信機器測定システムと比べてインピーダンス制御装置８を備えている点で異なる。他の構成については、実施の形態２に係る無線通信機器測定システムの構成要素と同じであるため、同じ構成要素には同じ符号を付して詳細な説明は省略する。
【００４８】
インピーダンス制御装置８は、被測定物１と方向性結合器４との間の伝送線路上に備えられている。インピーダンス制御装置８は、被測定物１のインピーダンスの大きさを変換する。つまり、インピーダンス制御装置８は、被測定物１自体のインピーダンスの大きさを変化させずに、被測定物１と方向性結合器４との間の伝送線路上で被測定物１のインピーダンスの大きさを変換する。
【００４９】
具体的に、インピーダンス制御装置８は、インピーダンス変換器を用いて、被測定物１と方向性結合器４との間の伝送線路上で被測定物１のインピーダンスの大きさを変換する。なお、インピーダンス制御装置８は、１つのインピーダンス変換器を備えて被測定物１のインピーダンスの大きさを変換しても、複数のインピーダンス変換器を備えて、それらを切り替えることで被測定物１のインピーダンスの大きさを段階的に変換しても良い。また、インピーダンス制御装置８は、インピーダンス変換器に限られず、被測定物１と方向性結合器４との間の伝送線路上で被測定物１のインピーダンスの大きさを変換できる機能を有していれば特に限定されるものではない。
【００５０】
図９に示すように、無線通信機器テストシステム２は、被測定物１の通信特性を測定する（ステップＳ２０１）。ネットワークアナライザ３は、被測定物１のインピーダンスの大きさを測定する（ステップＳ２０２）。
【００５１】
次に、ＰＣ６は、無線通信機器テストシステム２で測定した被測定物１の通信特性が所望の通信特性であるか否か、又はネットワークアナライザ３で測定したインピーダンスの大きさが所望の大きさであるか否かを判断する（ステップＳ９０１）。このように、本実施の形態３に係るＰＣ６は、被測定物１の通信特性及びインピーダンスの大きさの判断手段としても機能する。
【００５２】
ＰＣ６が、無線通信機器テストシステム２で測定した被測定物１の通信特性が所望の通信特性ではなくネットワークアナライザ３で測定したインピーダンスの大きさが所望の大きさでないと判断した場合（ステップＳ９０１：ＮＯ）、インピーダンス制御装置８は、被測定物１と方向性結合器４との間の伝送線路上で被測定物１のインピーダンスの大きさを変換する（ステップＳ９０２）。インピーダンス制御装置８が被測定物１のインピーダンスの大きさを変換した後、無線通信機器テストシステム２及びネットワークアナライザ３は、再度測定の処理を行う（ステップＳ２０１、Ｓ２０２）。
【００５３】
なお、本実施の形態３は、図９に示す無線通信機器測定システムにおける測定制御処理の手順を示すフローチャートに限定されるものではなく、例えば被測定物１のインピーダンスの大きさを変換する処理（ステップＳ９０２）を行った後、無線通信機器テストシステム２における測定の処理（ステップＳ２０１）のみ再度行っても良い。このように無線通信機器テストシステム２における測定の処理（ステップＳ２０１）のみ再度行うのは、ネットワークアナライザ３における測定の処理（ステップＳ２０２）を１度行えば、被測定物１のインピーダンスの大きさを変換する処理（ステップＳ９０２）におけるインピーダンスの大きさの変換量は既知であるので、その後のインピーダンスの大きさは容易に把握することができるからである。
【００５４】
次に、ＰＣ６が、無線通信機器テストシステム２で測定した被測定物１の通信特性が所望の通信特性であること、及びネットワークアナライザ３で測定したインピーダンスの大きさが所望の大きさであることのうち少なくとも一方であると判断した場合（ステップＳ９０１：ＹＥＳ）、被測定物１は、変換後の被測定物１のインピーダンスの大きさに基づき、回路定数の変更を受け付ける（ステップＳ９０３）。インピーダンス制御装置８で行った被測定物１のインピーダンスの大きさの変換は、所望の通信特性のときの被測定物１のインピーダンスの大きさ又は被測定物１の所望のインピーダンスの大きさに対する測定した被測定物１のインピーダンスの大きさの差分を表している。そのため、被測定物１は、当該インピーダンスの変換量をゼロにするように回路定数を変更することで、所望の通信特性又は所望のインピーダンスの大きさを得ることができる。
【００５５】
以上のように、本実施の形態３に係る無線通信機器測定システムは、インピーダンス制御装置８を設けることで、被測定物１の回路定数を変更することなく被測定物１のインピーダンスの大きさを変更することができる。つまり、本実施の形態３に係る無線通信機器測定システムは、無線通信機器テストシステム２及びネットワークアナライザ３との接続を外すことなく、被測定物１のインピーダンスの大きさを変更することができる。また、本実施の形態３に係る無線通信機器測定システムを採用することで、被測定物１は、通信特性の調整のために、測定前に設計者が被測定物１の回路定数を変更する必要がなくなる。
【００５６】
さらに、被測定物１の通信特性が非線形であっても、本実施の形態３に係る無線通信機器測定システムを採用することで、被測定物１は、インピーダンスの大きさを変えて被測定物１の通信特性を測定することができるので、被測定物１の通信特性の改善作業が容易になる。
【００５７】
また、本実施の形態３に係る無線通信機器測定システムでは、被測定物１のインピーダンスの大きさと、無線通信機器テストシステム２のインピーダンスの大きさとを整合させることが可能であり、両者のインピーダンスの大きさが整合した状態で被測定物１の通信特性を測定することができる。
【００５８】
ここで、被測定物１のインピーダンスの大きさと、無線通信機器テストシステム２のインピーダンスの大きさとが整合したか否かの判断は、例えば、ネットワークアナライザ３に表示されるスミスチャート（Ｓｍｉｔｈ  ｃｈａｒｔ）により判断することができる。
【００５９】
図１０は、インピーダンス整合を判断するスミスチャートの例示図である。図１０に示すスミスチャートは、複素平面上で表示されており、水平軸は複素反射係数の実部、水平軸に対して垂直な方向は虚部を、それぞれ示している。また、スミスチャートの各円は、インピーダンスの実数（抵抗）成分が同じ値の位置を表している。さらに、スミスチャートの上下に曲がった曲線は、インピーダンスの虚数（リアクタンス）成分が同じ値の位置を表している。
【００６０】
具体的に、図１０に示すスミスチャートは、携帯電話機である被測定物１が１．７５０ＧＨｚの高周波信号を無線通信機器テストシステム２と送受信した場合に、インピーダンスの大きさが５０Ωの無線通信機器テストシステム２に、被測定物１のインピーダンスの大きさが整合するか否かを判断するための図である。つまり、図１０に示すスミスチャートは、インピーダンスの大きさが約５０Ωに収束していれば、被測定物１のインピーダンスの大きさが、無線通信機器テストシステム２のインピーダンスの大きさに整合していると判断できる。
【００６１】
図１０に示すｍ１の軌跡は、インピーダンスの実部が５３．３、虚部が１．３と約５０Ωに収束しているので、インピーダンスの整合がとれている（インピーダンスの大きさが整合する）と判断することができる。一方、図１０に示すｍ２の軌跡は、インピーダンスの実部が２７．０、虚部が１４．３と約５０Ωに収束していないので、インピーダンスの整合がとれていない（インピーダンスの大きさが整合しない）と判断することができる。
【００６２】
（実施の形態４）
図１１は、本発明の実施の形態４に係る無線通信機器測定システムの構成を示すブロック図である。図１１に示すように、本実施の形態４に係る無線通信機器測定システムは、無線通信機器テストシステム２からのトリガ信号Ｔに基づきネットワークアナライザ３の測定タイミングを同期させている。なお、本発明はトリガ信号に基づいて同期する方法に限定されるものではなく、本実施の形態４に係る無線通信機器測定システムは、何らかの方法で、無線通信機器テストシステム２の測定タイミングと、ネットワークアナライザ３の測定タイミングとが同期するように制御できれば良い。
【００６３】
図１１に示すように、本実施の形態４に係る無線通信機器測定システムは、被測定物１、無線通信機器テストシステム２、ネットワークアナライザ３及び方向性結合器４を備えている。本実施の形態４に係る無線通信機器測定システムは、実施の形態１に係る無線通信機器測定システムと比べて、無線通信機器テストシステム２がネットワークアナライザ３に対してトリガ信号Ｔを出力している点で異なる。他の構成については、実施の形態１に係る無線通信機器測定システムの構成要素と同じであるため、同じ構成要素には同じ符号を付して詳細な説明は省略する。
【００６４】
図１２は、無線通信機器テストシステム２が出力したトリガ信号Ｔに基づいて、ネットワークアナライザ３の測定タイミングを無線通信機器テストシステム２の測定タイミングに同期する様子を示すタイミングチャートである。
【００６５】
図１２に示すように、無線通信機器テストシステム２は、被測定物１から無線通信機器テストシステム２への信号の送信が開始されるとトリガ信号Ｔをネットワークアナライザ３に出力する。なお、被測定物１から信号が送信される期間（送信期間ＳＳ）は、被測定物１がＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）規格の携帯電話機の場合、５７７μｓｅｃと短い。
【００６６】
一方、無線通信機器テストシステム２からトリガ信号Ｔを受信したネットワークアナライザ３は、所定の遅延時間Ｔｄ１後に測定を開始する。そして、ネットワークアナライザ３は、測定期間ｎ１後に測定を終了する。測定期間ｎ１は、ネットワークアナライザ３の中間周波数のバンド幅（ＩＦＢＷ）に依存して決定される。具体的に、１つの測定ポイントを測定するために必要な測定期間は１／ＩＦＢＷで、例えば最大ＩＦＢＷが１００ｋＨｚであった場合、１つの測定ポイントの最小測定期間は、１／１０００００＝１０μｓｅｃである。上述したように、ＧＳＭ規格の携帯電話機の場合、送信期間ＳＳが５７７μｓｅｃであるので、ネットワークアナライザ３の測定期間ｎ１を最小の１０μｓｅｃとすると５７ポイント測定することが可能である。なお、ＩＦＢＷを狭く（小さく）するとネットワークアナライザ３の測定ポイント数は減少し、測定精度（測定確度）は向上するので、送信期間ＳＳ等を考慮して必要な測定精度が得られるＩＦＢＷを設定する必要がある。
【００６７】
図１２のタイミングチャートが示すように、送信期間ＳＳから所定の時間が経過した後、無線通信機器テストシステム２は、被測定物１に対して信号を送信し、被測定物１は該信号を受信する。被測定物１が該信号を受信する期間（受信期間ＲＳ）も、ＧＳＭ規格の携帯電話機の場合、５７７μｓｅｃとなる。受信期間ＲＳ中にネットワークアナライザ３が測定を行う場合、ネットワークアナライザ３は、トリガ信号Ｔに対して所定の遅延時間Ｔｄ２後から測定を開始する。このように、ネットワークアナライザ３は、トリガ信号Ｔに対する所定の遅延時間Ｔｄ１，Ｔｄ２を調整することで、送信期間ＳＳ中、又は受信期間ＲＳ中に被測定物１のインピーダンスの大きさを測定することができる。なお、遅延時間Ｔｄ２後から開始されるネットワークアナライザ３の測定期間ｎ２も、ＩＦＢＷを設定することで決定される。
【００６８】
以上のように、本実施の形態４に係る無線通信機器測定システムは、無線通信機器テストシステム２から被測定物１へ信号を送信するタイミングに、無線通信機器テストシステム２からネットワークアナライザ３へトリガ信号Ｔを送信することでネットワークアナライザ３の測定タイミングを無線通信機器テストシステム２と被測定物１とが通信するタイミングに同期させるので、被測定物１が通信している間にネットワークアナライザ３は被測定物１のインピーダンスの大きさを測定することができる。
【００６９】
なお、上述した実施の形態は、本発明の趣旨を逸脱しない範囲で変更することができることは言うまでもない。例えば、被測定物１と無線通信機器テストシステム２及びネットワークアナライザ３との間で通信される信号は高周波信号に限定されるものではなく、上記の作用効果を有する周波数帯の信号であれば高周波信号以外の信号でも良い。
【符号の説明】
【００７０】
１、１０１  被測定物
２、１０２  無線通信機器テストシステム（通信特性測定装置）
３、１０３  ネットワークアナライザ（インピーダンス測定装置）
４  方向性結合器（信号分岐装置）
５、１０４  高周波ケーブル
６  ＰＣ
７  記憶装置
８  インピーダンス制御装置
２１、１１２  試験信号発生部
２２、１２２  ＲＦ送信部
２３、１３２  サーキュレータ
２４、１４２  ＲＦ受信部
２５、１５２  測定部
【図１】
2010230616.tif 000003
【図２】
2010230616.tif 000004
【図３】
2010230616.tif 000005
【図４】
2010230616.tif 000006
【図５】
2010230616.tif 000007
【図６】
2010230616.tif 000008
【図７】
2010230616.tif 000009
【図８】
2010230616.tif 000010
【図９】
2010230616.tif 000011
【図１０】
2010230616.tif 000012
【図１１】
2010230616.tif 000013
【図１２】
2010230616.tif 000014